(57)【要約】【課題】  良好なセルフクリーニング機能を確保しつつ薄型化を図る。【解決手段】  押圧移動体１００の挿入方向における先端面１００ａに設けられた接続端子１０１、１０１に接続される電極端子１７、１７を有すると共に押圧移動体の上記先端面に対向して配置され挿入される押圧移動体に押圧されて移動される被移動体１２と、押圧移動体に押圧されて移動される被移動体を上記挿入方向に対して傾斜する方向へ案内するガイド手段１１ｂ、１１ｂと、上記被移動体を上記挿入方向と反対方向へ付勢する付勢バネ１８とを設け、押圧移動体が挿入部に挿入されるときに接続端子が被移動体の電極端子に摺接されるようにした。【選択図】  図７
2006048986.tif 000002
【特許請求の範囲】
【請求項１】
所定の一方向へ移動されて挿入部に挿入され少なくとも挿入方向における先端面に接続端子を有する押圧移動体の該接続端子が接続される端子構造であって、
押圧移動体の上記先端面に設けられた接続端子に接続される電極端子を有すると共に押圧移動体の上記先端面に対向して配置され挿入される押圧移動体に押圧されて移動される被移動体と、
押圧移動体に押圧されて移動される被移動体を上記挿入方向に対して傾斜する方向へ案内するガイド手段と、
上記被移動体を上記挿入方向と反対方向へ付勢する付勢バネとを備え、
押圧移動体が挿入部に挿入されるときに接続端子が被移動体の電極端子に摺接されるようにした
ことを特徴とする端子構造。
【請求項２】
上記押圧移動体として電池を用いた
ことを特徴とする請求項１に記載の端子構造。
【請求項３】
所定の一方向へ移動されて挿入され少なくとも挿入方向における先端面に接続端子を有する押圧移動体が挿入される挿入部が外筐の内部に設けられた電子機器であって、
押圧移動体の上記先端面に設けられた接続端子に接続される電極端子を有すると共に押圧移動体の上記先端面に対向して配置され挿入される押圧移動体に押圧されて移動される被移動体と、
押圧移動体に押圧されて移動される被移動体を上記挿入方向に対して傾斜する方向へ案内するガイド手段と、
上記被移動体を上記挿入方向と反対方向へ付勢する付勢バネとを備え、
押圧移動体が挿入部に挿入されるときに接続端子が被移動体の電極端子に摺接されるようにした
ことを特徴とする電子機器。
【請求項４】
上記押圧移動体として電池を用いた
ことを特徴とする請求項３に記載の電子機器。
【請求項５】
外筐内に回路基板を配置し、
該回路基板に切欠部を形成し該切欠部に上記挿入部を設けた
ことを特徴とする請求項３に記載の電子機器。
【発明の詳細な説明】
【技術分野】
【０００１】
本発明は端子構造及び電子機器に関する。詳しくは、接続端子を有する押圧移動体の挿入方向における先端面に対向して所定の方向へ移動される被移動体を設け、薄型化を図る技術分野に関する。
【背景技術】
【０００２】
例えば、光ディスクや光磁気ディスク等のディスク状記録媒体に対して情報信号の記録や再生を行う記録再生装置等の電子機器があり、このような電子機器にあっては、特に、近年、携帯用の機器が普及している。
【０００３】
携帯用の電子機器は、外出先等において、バッテリー駆動や電池駆動によって使用する場合が多く、バッテーリーや電池は、外筐内に設けられた各挿入部、例えば、バッテリー挿入部や電池挿入部に挿入されて用いられる。
【０００４】
電池としては、挿入部に対する挿入方向における先端面に一対の接続端子（正極と負極）が設けられたタイプが用いられる場合がある。
【０００５】
このような電池を用いる電子機器として、例えば、本出願人が先に出願した特願２００４−０００６１２号に記載のものがある。
【０００６】
電池は、例えば、扁平な直方体状に形成され、一対の接続端子がそれぞれ挿入方向における先端面とこれに連続する底面に跨るように折り曲げられて設けられている。
【０００７】
上記文献に記載された電子機器にあっては、挿入部の底面部に電池の各接続端子に接続される一対の電極端子が配置されており、該電極端子が電池の挿入方向に長く形成されている。電極端子はバネ性を有する金属材料によって形成され、電池の挿入方向と反対側の端部が挿入部の底面部に取り付けられ、挿入方向における先端部が底面部の上方に位置されている。
【０００８】
電池が挿入部に挿入されるときには、電池の接続端子のうち、底面に位置された部分が電極端子と摺接されて接続される。従って、接続端子と電極端子が摺接することにより所謂セルフクリーニング機能が発揮され、接続端子又は電極端子に付着されている塵や埃が除去され、接続端子と電極端子の良好な接続性を確保することができる。
【発明の開示】
【発明が解決しようとする課題】
【０００９】
ところが、上記した電子機器にあっては、電極端子が挿入部の底面部に配置されているため、電極端子の厚み分、電池の厚み方向、即ち、電子機器の厚み方向における大きさが大きくなり、電子機器の薄型化に支障を来たすという問題があった。
【００１０】
特に、携帯用の電子機器においては薄型化の要求が高く、電子機器の厚みが厚くなることは大きな問題となる。
【００１１】
そこで、本発明端子構造及び電子機器は、上記した問題点を克服し、良好なセルフクリーニング機能を確保しつつ薄型化を図ることを課題とする。
【課題を解決するための手段】
【００１２】
本発明端子構造及び電子機器は、上記した課題を解決するために、押圧移動体の挿入方向における先端面に設けられた接続端子に接続される電極端子を有すると共に押圧移動体の上記先端面に対向して配置され挿入される押圧移動体に押圧されて移動される被移動体と、押圧移動体に押圧されて移動される被移動体を上記挿入方向に対して傾斜する方向へ案内するガイド手段と、上記被移動体を上記挿入方向と反対方向へ付勢する付勢バネとを設け、押圧移動体が挿入部に挿入されるときに接続端子が被移動体の電極端子に摺接されるようにしたものである。
【００１３】
従って、本発明端子構造及び電子機器にあっては、押圧移動体が挿入部に挿入されるときに、ガイド手段によって被移動体が押圧移動体の挿入方向に対して傾斜する方向へ移動され、接続端子が被移動体の電極端子に摺接される。
【発明の効果】
【００１４】
本発明端子構造は、所定の一方向へ移動されて挿入部に挿入され少なくとも挿入方向における先端面に接続端子を有する押圧移動体の該接続端子が接続される端子構造であって、押圧移動体の上記先端面に設けられた接続端子に接続される電極端子を有すると共に押圧移動体の上記先端面に対向して配置され挿入される押圧移動体に押圧されて移動される被移動体と、押圧移動体に押圧されて移動される被移動体を上記挿入方向に対して傾斜する方向へ案内するガイド手段と、上記被移動体を上記挿入方向と反対方向へ付勢する付勢バネとを備え、押圧移動体が挿入部に挿入されるときに接続端子が被移動体の電極端子に摺接されるようにしたことを特徴とする。
【００１５】
従って、端子構造の厚み方向における大きさが大きくならず、良好なセルフクリーニング機能を確保したままで、端子構造の薄型化を図ることができる。
【００１６】
本発明電子機器は、所定の一方向へ移動されて挿入され少なくとも挿入方向における先端面に接続端子を有する押圧移動体が挿入される挿入部が外筐の内部に設けられた電子機器であって、押圧移動体の上記先端面に設けられた接続端子に接続される電極端子を有すると共に押圧移動体の上記先端面に対向して配置され挿入される押圧移動体に押圧されて移動される被移動体と、押圧移動体に押圧されて移動される被移動体を上記挿入方向に対して傾斜する方向へ案内するガイド手段と、上記被移動体を上記挿入方向と反対方向へ付勢する付勢バネとを備え、押圧移動体が挿入部に挿入されるときに接続端子が被移動体の電極端子に摺接されるようにしたことを特徴とする。
【００１７】
従って、電子機器の厚み方向における大きさが大きくならず、良好なセルフクリーニング機能を確保したままで、電子機器の薄型化を図ることができる。
【００１８】
請求項５に記載した発明にあっては、外筐内に回路基板を配置し、該回路基板に切欠部を形成し該切欠部に上記挿入部を設けたので、挿入部に回路基板が存在しない分、電子機器の薄型化を図ることができる。
【発明を実施するための最良の形態】
【００１９】
以下に、本発明端子構造及び電子機器の最良の形態を添付図面に従って説明する。
【００２０】
電子機器１は、外筐２内に所要の各部材及び各機構が配置されて成る（図１参照）
外筐２は上ケース３と下ケース４から成り、上ケース３が下ケース４に回動自在に支持されている。上ケース３は、その一端部が回動支点とされ、上ケース３が下ケース４に対して一方向へ回動されるとカートリッジ挿入口が開放され、該カートリッジ挿入口に対して図示しないディスクカートリッジの挿入又は取出が可能とされる。
【００２１】
上ケース３には複数の操作釦３ａ、３ａ、・・・と表示部３ｂが設けられている。操作釦３ａ、３ａ、・・・は、例えば、ディスクカートリッジに対する情報信号の再生、再生の停止又は一時停止、各種の編集操作等を行うための釦である。表示部３ｂには、操作釦３ａ、３ａ、・・・を操作したときの操作状態や編集作業時における各状態等が表示される。
【００２２】
下ケース４の側面には複数のスライド摘子４ａ、４ａ、４ａが設けられている。スライド摘子４ａ、４ａ、４ａは、例えば、カートリッジ挿入口の開放、ディスクカートリッジに対する情報信号の記録、操作釦３ａ、３ａ、３ａに対する操作無効状態の設定等を行うための摘子である。
【００２３】
下ケース４の他の側面には電池収納蓋５がスライド自在に設けられている。電池収納蓋５は、下ケース４に形成された挿脱口４ｂ（図２参照）を開閉する機能を有している。
【００２４】
下ケース４の内部には回路基板６が配置されている（図２参照）。回路基板６には切欠部６ａが形成されている。下ケース４の内部のうち、回路基板６の切欠部６ａに相当する部分が電池１００が挿入される挿入部７として形成されている。挿入部７は、その一端が電池１００の挿入又は取出を行うための挿脱口４ｂに連通されている。
【００２５】
電池１００は、後述する電極配置体を押圧して移動させる押圧移動体として機能し、例えば、マンガン、アルカリ等の一次電池又はリチウムイオン、ニッケル−カドミウム、ニッケル−水素等の２次電池であり、扁平な略直方体状に形成され、例えば、図２に示すように、厚みＨが約３．５ｍｍ、幅Ｗが約２３ｍｍ、長さＬが約６３ｍｍとされている。
【００２６】
電池１００の挿入部７に対する挿入方向における先端部には、それぞれ正極及び負極とされた一対の接続端子１０１、１０１が設けられている。接続端子１０１、１０１はそれぞれ上記挿入方向における先端面１００ａとこれに連続する底面１００ｂに跨るように折り曲げられて設けられ、先端面１００ａに位置する第１の面部１０１ａ、１０１ａと底面１００ｂに位置する第２の面部１０１ｂ、１０１ｂとから成る（図３及び図４参照）。
【００２７】
挿入部７の挿脱口４ｂと反対側の端部には支持壁８が設けられている（図２参照）。支持壁８は、図３及び図４に示すように、互いに対向した側面部９、９と該側面部９、９に連続した背面部１０とを有し、側面部９、９と背面部１０が直交した状態で設けられている。
【００２８】
側面部９、９には互いに近付く方向へ突出されたガイド突部１１、１１が設けられている。ガイド突部１１、１１は上下に延びるストッパー基部１１ａ、１１ａと該ストッパー基部１１ａ、１１ａの下縁に連続し背面部１０に近付くに従って下方へ傾斜する傾斜部１１ｂ、１１ｂとから成る。ガイド突部１１、１１の傾斜部１１ｂ、１１ｂは後述する電極配置体を案内するガイド手段として機能する。
【００２９】
電極配置体１２はガイド手段として機能する傾斜部１１ｂ、１１ｂに案内されて移動される被移動体として設けられ、樹脂材料によって横長の略ブロック状に形成されている。電極配置体１２の上面１２ａには、長手方向に離隔して取付凹部１３、１３が形成されている。
【００３０】
電極配置体１２の両側面１２ｂ、１２ｂにはそれぞれ外方へ突出された突部１４、１４が設けられており、該突部１４、１４の上側の面が背面１２ｃに近付くに従って下方へ傾斜する傾斜面１４ａ、１４ａとして形成されている。両側面１２ｂ、１２ｂには、それぞれ突部１４、１４の上方に外方へ突出された被支持ピン１５、１５が設けられている。
【００３１】
電極配置体１２の正面１２ｄには、取付凹部１３、１３に対応する位置にそれぞれ受け突部１６、１６が設けられている。
【００３２】
電極配置体１２の取付凹部１３、１３には、それぞれ電極端子１７、１７が取り付けられている。電極端子１７、１７はバネ性を有する金属材料によって形成され、取付凹部１３、１３に取り付けられた被取付部１７ａ、１７ａと該被取付部１７ａ、１７ａの一端縁から屈曲された接続部１７ｂ、１７ｂとから成る。接続部１７ｂ、１７ｂは外方へ凸となるように湾曲され、正面１２ｄに設けられた受け突部１６、１６を覆うように位置されている。接続部１７ｂ、１７ｂは被取付部１７ａ、１７ａに対して弾性変形される。
【００３３】
電極端子１７、１７は回路基板６に形成された図示しない駆動回路に接続されている。
【００３４】
電極配置体１２の背面１２ｃには、例えば、コイルバネである付勢バネ１８の一端が取り付けられている。付勢バネ１８の他端は支持壁８の背面部１０に弾接される。
【００３５】
電極配置体１２は被支持ピン１５、１５と突部１４、１４によってそれぞれ支持壁８のガイド突部１１、１１を上下から挟み込むことにより、ガイド突部１１、１１に移動自在に支持される。
【００３６】
電池カバー１９は天面壁部１９ａと該天面壁部１９ａの両側縁から垂設された側壁部１９ｂ、１９ｂとを有している（図２参照）。電池カバー１９は挿入部７に取り付けられ、挿入部７に挿入された電池１００を保護する機能を有する。
【００３７】
以下に、電池１００が挿入部７に挿入されるとき及び挿入部７から取り出されるときの動作を説明する（図５乃至図８参照）。
【００３８】
電池１００が挿入部７に挿入される前の状態においては、支持壁８の背面部１０に弾接されている付勢バネ１８の付勢力によって、電極配置体１２の被支持ピン１５、１５がそれぞれガイド突部１１、１１のストッパー基部１１ａ、１１ａに接触され、該ストッパー基部１１ａ、１１ａによって電極配置体１２の背面部１０から遠去かる方向（図に示すＡ方向）への移動が規制されている（図５参照）。
【００３９】
電池１００は外筐２に形成された挿脱口４ｂから挿入部７に挿入され、挿入部７に挿入されるときは電池１００の底面１００ｂが下ケース４上をスライドしながら図に示すＢ方向へ移動される。
【００４０】
電池１００がＢ方向へ移動されていくと、接続端子１０１、１０１の第１の面部１０１ａ、１０１ａがそれぞれ電極端子１７、１７の接続部１７ｂ、１７ｂに接触され、さらに電池１００がＢ方向へ移動されることにより接続部１７ｂ、１７ｂが弾性変形される（図６参照）。弾性変形された接続部１７ｂ、１７ｂは受け突部１６、１６に受けられる。
【００４１】
電池１００がさらにＢ方向へ移動されていくと、電極配置体１２は押圧移動体として機能する電池１００によってＢ方向へ押圧されて移動される。このとき被移動体として機能する電極配置体１２はガイド手段として機能するガイド突部１１、１１の傾斜部１１ｂ、１１ｂに案内されて斜め下方（図に示すＣ方向）へ移動されていく（図７参照）。また、このとき電極配置体１２のＣ方向への移動に伴って接続部１７ｂ、１７ｂが接続端子１０１、１０１の第１の面部１０１ａ、１０１ａと摺接され、所謂セルフクリーニング機能が発揮されて接続端子１０１、１０１又は電極端子１７、１７に付着されている塵や埃が除去される。電極配置体１２のＣ方向への移動に伴い、付勢バネ１８は短縮される。
【００４２】
さらに電池１００がＢ方向へ移動されていくと、電極配置体１２はさらにＣ方向へ移動端まで移動される（図８参照）。
【００４３】
上記のように電池１００を挿入した後、電池収納蓋５によって挿脱口４ｂを閉塞することにより電池１００が挿入部７に収納される。
【００４４】
電池１００の挿入部７からの取出は、電池収納蓋５によって挿脱口４ｂを開放したときに、付勢バネ１８によって電極配置体１２がＣ方向と反対のＤ方向へ移動され、電池１００が電極配置体１２に押圧されてＡ方向へ移動されることにより行われる。Ｄ方向へ移動された電極配置体１２はガイド突部１１、１１のストッパー基部１１ａ、１１ａに接触され、Ａ方向への移動が規制される。
【００４５】
電池１００がＡ方向へ移動されると、その一部が挿脱口４ｂから外方へ突出され、電池１００を挿入部７から引き出すことができる。
【００４６】
以上に記載した通り、電子機器１にあっては、電池１００の先端面１００ａに対向して配置された電極配置体１２を設け、該電極配置体１２を電池１００の挿入部７への挿入方向に対して傾斜する方向へ移動させているため、電子機器１の厚み方向における大きさが大きくならず、良好なセルフクリーニング機能を確保したままで、電子機器１の薄型化を図ることができる。
【００４７】
また、上記には押圧移動体として電池１００を用いた例を示しているが、電池１００は、特に、携帯用の電子機器１において汎用されるものであり、本発明の適用により、薄型化の要求の高い携帯用の電子機器１の薄型化を図ることができる。
【００４８】
さらに、回路基板６に切欠部６ａを形成し、該切欠部６ａに相当する部分を電池１００が挿入される挿入部７として形成しているため、挿入部７に回路基板６が存在しない分、電子機器１の薄型化を図ることができる。
【００４９】
尚、上記には、押圧移動体として電池１００を用いた例を示したが、押圧移動体は電池１００に限られることがなく、少なくとも先端面に接続端子を有しているものであれば何れのものであってもよい。押圧移動体としては、例えば、電池１００の他に、バッテリーやカード型の記憶媒体等が適用可能である。
【００５０】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００５１】
【図１】図２乃至図８と共に本発明を実施するための最良の形態を示すものであり、本図は電子機器の概略斜視図である。
【図２】電子機器の内部構成を一部を省略して示す分解斜視図である。
【図３】支持壁と電極配置体を電池とともに示す拡大分解斜視図である。
【図４】電極配置体の支持壁への支持状態を電池とともに示す拡大斜視図である。
【図５】図６乃至図８と共に電池が挿入部に挿入されるときの動作を説明するためのものであり、本図は電極配置体の初期状態を示す拡大断面図である。
【図６】電池の接続端子が電極配置体の電極端子に接続された直後の状態を示す拡大断面図である。
【図７】電池によって電極配置体が押圧されている途中の状態を示す拡大断面図である。
【図８】電極配置体が移動端まで移動された状態を示す拡大断面図である。
【符号の説明】
【００５２】
１…電子機器、２…外筐、６…回路基板、６ａ…切欠部、７…挿入部、１１ｂ…傾斜部（ガイド手段）、１２…電極配置体（被移動体）、１７…電極端子、１８…付勢バネ、１００…電池（押圧移動体）、１００ａ…先端面、１０１…接続端子
【図１】
2006048986.tif 000003
【図２】
2006048986.tif 000004
【図３】
2006048986.tif 000005
【図４】
2006048986.tif 000006
【図５】
2006048986.tif 000007
【図６】
2006048986.tif 000008
【図７】
2006048986.tif 000009
【図８】
2006048986.tif 000010